(57)【要約】【課題】  ベッドとソファを一体化し省スペース化を図りつつ、ベッドからソファーへの変換時に布団を別の場所に移動させずに済む利便性、各素材の選択性、衛生化を可能にするソファー兼用ベッドを提供する。【解決手段】  ベッドの床面部を長さ方向あるいは幅方向に略二分して、一方を固定床面（１）他方を背もたれ兼可動床面（２）とし、略二分した線を基線として起倒可能に配置し、その下にソファーの座部（３）を設けたことを特徴とする。【選択図】    図１
0003110072.tif 000002
【実用新案登録請求の範囲】
【請求項１】
ベッド床面部を長さ方向に略二分して、一方を固定床面（１）、他方を背もたれ兼可動床面（２）とし、前記背もたれ兼可動床面（２）は略二分した線を基線として起倒可能に配置し、さらに前記背もたれ兼可動床面（２）の下に前記固定床面（１）とは高さを違えてソファーの座部（３）を設け、前記背もたれ兼可動床面（２）を起こすことにより、前記座部（３）とでソファーとして機能し、また倒すことにより、前記固定床面（１）とでベッドとして機能することを特徴とするソファー兼用ベッド。
【請求項２】
ベッド床面部をソファーモードでの使用時における肘掛け部（６）を除き、長さ方向に略二分して、一方を固定床面（１）、他方を背もたれ兼可動床面（２）とし、前記背もたれ兼可動床面（２）は略二分した線を基線として起倒可能に配置し、さらに前記背もたれ兼可動床面（２）の下に前記固定床面（１）とは高さを違えてソファーの座部（３）を設け、前記背もたれ兼可動床面（２）を起こすことにより、前記座部（３）とでソファーとして機能し、また倒すことにより、前固定床面（１）とでベッドとして機能することを特徴とするソファー兼用ベッド。
【請求項３】
ベッド床面部を幅方向に略二分した請求項１記載のソファー兼用ベッド。
【請求項４】
請求項２記載の幅方向に略二分したソファー兼用ベッド。
【考案の詳細な説明】
【技術分野】
【０００１】
本考案は、布団を別の場所に移動することなく、ベッドからソファーまたはソファーからベッドへの作業を容易に行えるようにしたソファー兼用ベッドに関するものである。
【背景技術】
【０００２】
従来のソファーベッドはソファーとベッドを一体化することで、省スペース化を図り、限りある居住スペースを有効利用できる利点がある。
【考案の開示】
【考案が解決しようとする課題】
【０００３】
しかしながら、従来のソファーベッドは同一面をソファーとベッドに共有していたため、ベッドからソファーへの変換時はどうしても一度布団を別の場所に移動せざるをえないという煩わしさと、寝具に日常着で座ることへの感覚的な抵抗があった。【０００４】
また、本来ソファーにはソファーに適した素材、同様にベッドにはベッドに適した素材があり、それらを使用することが最も望ましいが、共有であるため、両方に兼用可能な素材を選択しなければならないという制約があった。
【課題を解決するための手段】
【０００５】
本考案は、その欠点を除くためになされたもので、それを図面について説明すれば、ベッド床面部を長さ方向に略二分して、一方を固定床面（１）、他方を背もたれ兼可動床面（２）とし、背もたれ兼可動床面（２）は略二分した線を基線として起倒可動するように配置し、さらに背もたれ兼可動床面（２）の下にソファーの座部（３）を設ける。背もたれ兼可動床面（２）は起こして座部（３）とでソファーを形成した時点で、背もたれの役割と衝立の役割を同時に果たす。そのため布団（５）は別の場所に移動させることなく、衝立に隠された状態で固定床面（１）に納まるので、ベッドからソファーへの変換はいっそう容易になる。【０００６】
また、背もたれ兼可動床面（２）を手前に倒すことで、固定床面（１）と並列をなしてベッドを形成する。【０００７】
さらに、ソファー面とベッド床面とは別々に設けたことで、各々素材にも工夫が可能となる。また感覚的な抵抗もなくなり上記課題を解決する。
【考案の効果】
【０００８】
最近の住宅事情から考えると、ソファーとベッドが各々独立したものは、他の家具との関連において部屋のスペースをとり過ぎて支障をきたす事が多いし、収納場所等も不足している。特にマンション等での一人住いの学生等にはその例が多くみられる。【０００９】
一方、高齢者人口率の高い現今において、体力の低下した高齢者の生活を考えるとき、布団の上げ下ろしの動作は大変な労力を必要とし、日常生活に支障をきたすものと考えられる。【００１０】
上記のことを考慮して、この考案は夜間はベッドとして使用し、昼間はソファーとして使用するが、その変換事に取り扱いが容易にできるようにするため、ベッドの床面の一部と表裏一体の背もたれを設けたり、その下にソファーの座部（３）を別に設けた構造にしたことで、使用者がベッドからソファーに変換するときは、背もたれを手前から起こせば、容易にソファーの座部（３）とでソファーとして使用できる。同時に背もたれの向こう側に二つ折りに畳んでおくことになり、収納場所不足も解消できる。作業も手前から持ち上げるので、動作、体力も最小限で済む。【００１１】
また、背もたれを倒せば、簡単にベッドの状態に戻すことができる。【００１２】
さらに、感覚的にもベッド面とソファー面が別々なので「ベッドに座る」あるいは「ソファーに寝る」というのではなく衛生的であり、一体化したメリットを損なうことなく、本来独立した家具のように使用できる。
【考案を実施するための最良の形態】
【００１３】
以下本考案の実施の形態について説明する。
図１に示されるように、ベッド床面部を長さ方向に略二分して、一方を固定床面（１）、他方を背もたれ兼可動床面（２）とする。その背もたれ兼可動床面（２）は図３のように内部にラチェット機構（４）等の接合部品を用いて略二分した線を基線として起倒可能に配置する。そうすると、背もたれ兼可動床面（２）はベッド床面部を前記略二分する線を基線として屈曲可能となり、且つ間欠的に起倒可能となる。【００１４】
ただし、上記のような接合部品を用いて必ずしも本体と背もたれ兼可動床面（２）を連結しなくても、固定床面（１）と座部（３）との高低の差を利用して図４のように略二分した線に沿って、座部（３）に溝をつくり、背もたれ兼可動床面（２）を起こした時の下部断面を溝に合うように工夫して切り、座部（３）の溝にはめ込んで起倒可動させることも可能である。【００１５】
ベッドからソファーに変換する時は、背もたれ兼可動床面（２）を起こして、その下に設けられたソファーの座部（３）と一体化させてソファーとして使用する。その時、図３のように背もたれ兼可動床面（２）は衝立の状態になっているので、布団（５）は他の場所に移動させることなく、二つ折りにして固定床面（１）の上に収納しておくことができる。【００１６】
また、ソファーからベッドに変換したい時は、背もたれ兼可動床面（２）を倒して固定床面（１）と図２のように並列にし、ベッドとして使用する。【００１７】
さらに、背もたれ兼可動床面（２）を起倒可能に配置したことと、ソファーの座部（３）を床面部とは別に設けたとこにより、ソファー面とベッド面は各々素材にも工夫ができる。【００１８】
例えば、ベッド面は綿キルティング等で仕上げ、ソファー面は合成皮革等で仕上げることも可能である。【００１９】
以上のように背もたれ兼可動床面（２）を起こしたり倒したりして、夜間はベッド、昼間はソファーとして使用する。【００２０】
さらに、応用例をあげれば、背もたれ兼可動床面（２）の両端を残して、起こした時に、残した部分が肘掛け（６）となる図５のような形態も可能である。
【図面の簡単な説明】
【００２１】
【図１】本考案のソファー時の斜視図である。
【図２】本考案のベッド時の斜視図である。
【図３】本考案のソファー時の左側面図である。
【図４】本考案のソファー時の左側面図である。
【図５】本考案の応用例の斜視図である。
【符号の説明】
【００２２】
１  固定床面
２  背もたれ兼可動床面
３  座部
４  ラチェット機構
５  布団
６  肘掛け部
【図１】
0003110072.tif 000003
【図２】
0003110072.tif 000004
【図３】
0003110072.tif 000005
【図４】
0003110072.tif 000006
【図５】
0003110072.tif 000007
【手続補正書】
【提出日】平成17年2月3日(2005.2.3)
【手続補正１】
【補正対象書類名】実用新案登録請求の範囲
【補正対象項目名】全文
【補正方法】変更
【補正の内容】
【実用新案登録請求の範囲】
【請求項１】
ベッド床面部を長さ方向に略二分して、一方を固定床面（１）、他方を背もたれ兼可動床面（２）とし、前記背もたれ兼可動床面（２）は略二分した線を基線として起倒可能に配置し、さらに前記背もたれ兼可動床面（２）の下に前記固定床面（１）とは高さを違えてソファーの座部（３）を設け、前記背もたれ兼可動床面（２）を起こすことにより、前記座部（３）とでソファーとして機能し、また倒すことにより、前記固定床面（１）とでベッドとして機能することを特徴とするソファー兼用ベッド。
【請求項２】
ベッド床面部をソファーモードでの使用時における肘掛け部（６）を除き、長さ方向に略二分して、一方を固定床面（１）、他方を背もたれ兼可動床面（２）とし、前記背もたれ兼可動床面（２）は略二分した線を基線として起倒可能に配置し、さらに前記背もたれ兼可動床面（２）の下に前記固定床面（１）とは高さを違えてソファーの座部（３）を設け、前記背もたれ兼可動床面（２）を起こすことにより、前記座部（３）とでソファーとして機能し、また倒すことにより、前記固定床面（１）とでベッドとして機能することを特徴とするソファー兼用ベッド。
【請求項３】
ベッド床面部を幅方向に略二分した請求項１記載のソファー兼用ベッド。
【請求項４】
ベッド床面部をソファーモードでの使用時における肘掛部（６）を除き、幅方向に略二分した請求項２記載のソファー兼用ベッド。